(57)【要約】【課題】信頼性の高い高スループット電力線通信を実現できる電力線通信用安定化装置等を提供する。【解決手段】  電力線通信用安定化装置１００は、プラグ１１と、ローパスフィルタ１２と、コンセント１３ａ，１３ｂ，１３ｃからなるコンセント部１３とから構成され、電力線を利用して通信を行う際に、電力線通信用安定化装置１００のプラグ１１を電力線に配置された壁面コンセントに接続し、そして、ローパスフィルタ１２の後に配置されているコンセント部１３に複数の通信機器を接続することで、この複数の通信機器の間に通信を行う。これにより、配線経路長による伝送損失や、配線分岐などによる不整合反射やマルチパスなどの影響を排除することができ、また非通信機器からの雑音妨害やインピーダンス外乱を排除することができるため、信頼性の高い高スループット電力線通信を実現できる。【選択図】        図１
2005065006.tif 000002
【特許請求の範囲】
【請求項１】
電力線に配置される電源コンセント装置に接続するための一つのプラグと、
並列に接続された複数のコンセントからなるコンセント部と、
上記プラグと上記コンセント部との間に配置された周波数選択手段とを備え、
上記コンセント部は、周波数選択手段を介して上記プラグに電気的に接続される
ことを特徴とする電力線通信用安定化装置。
【請求項２】
上記コンセント部は、電力用および通信機器用のものである
ことを特徴とする請求項１に記載の電力線通信用安定化装置。
【請求項３】
電力線を利用して通信を行う通信機器において、
複数の通信機器を接続する電力線通信用安定化装置を有し、
上記電力線通信用安定化装置は、
上記電力線に配置される電源コンセント装置に接続するための一つのプラグと、並列に接続された複数のコンセントからなるコンセント部と、上記プラグと上記コンセント部との間に配置された周波数選択手段とを備え、上記コンセント部は、周波数選択手段を介して上記プラグに電気的に接続される
ことを特徴とする通信機器。
【請求項４】
上記コンセント部は、電力用および通信機器用のものである
ことを特徴とする請求項３に記載の通信機器。
【請求項５】
電力線を利用して通信を行う通信方法において、
上記電力線に配置される電源コンセント装置に接続するための一つのプラグと、並列に接続された複数のコンセントからなるコンセント部と、上記プラグと上記コンセント部との間に配置された周波数選択手段とから構成される電力線通信用安定化装置を用い、
上記プラグを上記電力線に配置される電源コンセント装置に接続し、
上記コンセント部に複数の通信機器を接続し、
上記複数の通信機器の間に電力線を介して通信を行う
ことを特徴とする通信方法。
【発明の詳細な説明】
【技術分野】
【０００１】
この発明は、電力線通信用安定化装置、それを用いた電子機器および通信方法に関する。詳しくは、電力線を利用して通信を行う際に、電力線に配置される電源コンセント装置に接続するための一つのプラグと、並列に接続された複数のコンセントからなるコンセント部と、プラグとコンセント部との間に配置された周波数選択手段とから構成される電力線通信用安定化装置を用い、プラグを電力線に接続し、周波数選択手段の後に並列に接続されているコンセントに通信機器を接続して通信を行うことによって、配線経路長による伝送損失や、配線分岐などによる不整合反射やマルチパスなどの影響を排除することができ、また非通信機器からの雑音妨害やインピーダンス外乱を排除することができるため、信頼性の高い高スループット（Throughput）電力線通信を実現できるようにした電力線通信用安定化装置等に係るものである。
【背景技術】
【０００２】
電力線を用いる通信システム（ＰＬＣ：Power Line Carrier）は、商用交流電圧に重畳する形で微小電圧振幅の高周波信号を同一の電力線に送出する有線通信システムである。図５は、商用交流電圧と微小電圧振幅の高周波信号とを重畳する状態を示す図である。図５に示すように、ＡＣ１００Ｖの電源電圧信号に数１０ｍＶ〜数１００ｍＶの信号電圧を重畳して伝送を行う。電力線通信は、商用電源周波（５０Ｈｚまたは６０Ｈｚ）に、例えば１０ｋＨｚ〜５００ｋＨｚの搬送波を重畳させ、搬送波によりデータを伝送するもので、既設の電力線がそのまま伝送線として使用することができる等のメリットがある。
【０００３】
電力線通信の利用方法には二種類ある。一つは、家庭内で電灯線を利用してＬＡＮ（Local Area Network）を構築するという使い方である。家電製品はいずれも電灯線にコンセントで接続されているので、家電製品のネットワーク化と電灯線ネットワークは組み合わせやすい。もう一つは、インターネットなどへのアクセス回線として電灯線を使用するものである。
【０００４】
図６は、従来の電力線通信システムの構成例を示す図である。この電力線通信システム３００は、上述した家庭内で電灯線を利用してＬＡＮ（Local Area Network）を構築するものである。
【０００５】
図６に示すように、電力線通信システム３００は、通信路としての電力線２０と、通信機器Ａと、通信機器Ｂと備える。通信機器Ａ，Ｂは、例えば壁面コンセント２１ａ，２１ｂに接続されている。また、電力線２０を用いる通信システムにおいて、非通信機器（電子機器）が電力線に接続される場合が一般的である。例えば非通信機器Ｃ，Ｄも壁面コンセント２１ｃ，２１ｄに接続されている。
【０００６】
このような電力線通信システム３００は有線通信であることから、無線通信と比較してきわめて信頼性の高い通信システムであると一般的に思われがちである。しかしながら、元来通信用途に設計されていない電力線２０は、例えば異系統間で信号伝送ロスが大きいことや、配線の分岐や接続される電子機器Ｃ，Ｄが原因となる伝送ロスや高周波の反射あるいは機器雑音などを主な阻害要因として、結果として各通信機器間で「通信不能」に陥るようなケースが頻繁に発生する。
【０００７】
一般的にイーサネット（登録商標）、無線ＬＡＮ、電力線通信システムなどの通信は「ベストエフォート型」と呼ばれ、有限な通信帯域幅を複数の通信端末で「分かち合い融通し合う」基本メカニズムで動いている。つまり通信帯域幅が少ない場合やあるいは通信端末数が多い場合には実効速度が大きく低下し、逆の場合には高品位なＡＶ（Audio Video）ストリームをやりとりできるくらいの実効速度が得られる。しかし仮に、理論上の最大リンクスピード（伝送媒体と変復調など通信方式とに依存する物理最高速度でオーバーヘッドなども含む）が高品位ＡＶ伝送に十分な値であるとしても、無線ＬＡＮや電力線通信システムなどのように、空間や電灯線と言った物理的にきわめて不安定で損失の多い伝送媒体を用いる通信の場合には、その伝送媒体固有の又は刻々変化する伝搬損失（伝導損失）や不整合反射、マルチパスなどによって、スループット（意味のある実効的な通信速度でオーバーヘッドなどを除いたもの）は大きく減少し、多くの場合において理論上の最大リンクスピードとかけ離れた小さな値となる（数分の一〜数十分の一）。
【０００８】
従来これらのことは避けられない自明の現象として、変復調や誤り訂正などの技術を駆使することで少しでも改善し、あとは文字通りベストエフォート式の通信を想定していた。電力線通信システムにおいても、例えばひとつの部屋内でのＡＶ視聴と言ったもっとも「ありそうなケース」を特別には考慮されていないために、各々の電力線通信用通信機器の電源プラグが差し込まれるコンセントから先を見た「外部の状況」つまりはインピーダンスの暴れやエネルギー吸収、あるいは機器雑音と言った諸々の外乱が見えてしまい、該当通信機器間の通信を妨害する結果となっていた。つまり最大リンクスピードとは大きくかけ離れた実効速度しか出せず、円滑なＡＶストリーム再生が望めないなどの問題があった。
【０００９】
従来からも、宅内配電盤に設置する方式の大がかりなブロッキングフィルタなどを用いて隣家などとの相互の信号伝達阻止を狙う方法はあるが、その場合においても家一軒内での実効速度を担保することはほど遠いものであった。言い換えれば、たかだか家一軒の範囲内においても通信路媒体（電灯線）の状態は劣悪でかつ刻々変化するということである。
【００１０】
近年、電力線通信システムにおいて、電力線に接続される電気機器によるインピーダンスロス及び電気機器が発生するノイズの影響を無くすことできる電力線搬送通信ネットワーク用フィルタ装置が提案されている（例えば、特許文献１参照）。
【００１１】
この場合、電力線搬送通信ネットワーク用フィルタ装置は、一つの電力線搬送用モデムのプラグを接続するコンセントと、複数の電気機器のプラグを接続するコンセントと、その間に設けられたフィルタ回路とを備える。フィルタ回路の一端（電力線搬送用モデムのプラグ側）に接続される通信機器は、電力線を介して電力線上に接続される他の通信機器と通信を行うようになされる。また、フィルタ回路の他端に電気機器を接続するようになされている。これにより、電気機器からのノイズがフィルタ回路により遮断され、電力線通信領域に影響を無くすことができる。
【００１２】
【特許文献１】特開平１０−６５５８３号公報（第４頁、第５図）
【発明の開示】
【発明が解決しようとする課題】
【００１３】
上述したように、電力線通信システムは無線ＬＡＮなどの無線通信システムと比べて通信の信頼性が極めて高いであろう、と一般的に過大に評価されている電力線搬送通信システム（有線通信システム）であるが、その実態においては、刻々と変化する劣悪な伝送路特性の影響によって端末間での通信ができなくなるという問題が潜在的に多く発生することが報告されてきている。とくに高品位なＡＶストリームをリアルタイムに伝送するような高い実効速度を要求されるケースには全く対応できていなかった。
【００１４】
また、特許文献１の場合、フィルタ回路を介して非通信の電子機器を電力線の末端側に配置する方法で、電気機器によるインピーダンスロス及び電気機器が発生するノイズの影響を無くすことができるが、実際に全ての電子機器（例えば家一軒の範囲内の電子機器）を、電力線搬送通信ネットワーク用フィルタ装置を用いて電力線の末端側に配置するのが困難であり、コストの面も問題がある。また、配線経路長による伝送損失などの通信阻害を解決することができなかったため、高品位なＡＶストリームをリアルタイムに伝送するような高い実効速度を要求されるケースには対応できない。
【００１５】
つまり家一軒の範囲内での高速な実効速度を担保することは到底無理である。そのため、実際に最もあり得るケース、即ち、部屋の中だけで通信するような限定的な用途環境下において、高品位ＡＶストリーム信号のリアルタイム伝送のような高速な電力線通信を行う場合において、同一のコンセントに接続された複数の通信機器間の通信に限定して、伝送損失などの通信阻害要因を大幅に軽減し、安定な高速性を実現する装置を考案する必要がある。
【００１６】
そこで、この発明は、配線経路長による伝送損失や、配線分岐などによる不整合反射やマルチパスなどを排除すると共に、非通信機器からの雑音妨害をほぼ完全にシャットアウトすることで、信頼性の高い高スループット電力線通信を実現できるようにした電力線通信用安定化装置、それを用いた電子機器および通信方法を提供することを目的とする。
【課題を解決するための手段】
【００１７】
この発明に係る電力線通信用安定化装置は、電力線に配置される電源コンセント装置に接続するための一つのプラグと、並列に接続された複数のコンセントからなるコンセント部と、プラグとコンセント部との間に配置された周波数選択手段とを備え、コンセント部は、周波数選択手段を介してプラグに電気的に接続されるものである。例えば、コンセント部は、電力用および通信機器用のものとされる。
【００１８】
この発明に係る電子機器は、電力線を利用して通信を行う通信機器において、
複数の通信機器を接続する電力線通信用安定化装置を有し、この電力線通信用安定化装置は、電力線に配置される電源コンセント装置に接続するための一つのプラグと、並列に接続された複数のコンセントからなるコンセント部と、プラグとコンセント部との間に配置された周波数選択手段とを備え、コンセント部は、周波数選択手段を介してプラグに電気的に接続されるものである。
【００１９】
この発明に係る通信方法は、電力線を利用して通信を行う通信方法において、電力線に配置される電源コンセント装置に接続するための一つのプラグと、並列に接続された複数のコンセントからなるコンセント部と、プラグとコンセント部との間に配置された周波数選択手段とから構成される電力線通信用安定化装置を用い、プラグを電力線に配置される電源コンセント装置に接続し、コンセント部に複数の通信機器を接続し、複数の通信機器の間に電力線を介して通信を行うことを特徴とするものである。
【００２０】
この発明においては、電力線通信に用いられる電力線通信用安定化装置は、電力線に配置される電源コンセント装置に接続するための一つのプラグと、並列に接続された複数のコンセントからなるコンセント部と、プラグとコンセント部との間に配置された周波数選択手段と備え、電力線を利用して通信を行う際に、電力線通信用安定化装置のプラグが電力線に接続され、周波数選択手段の後に配置されているコンセント部に複数の通信機器が接続される。この複数の通信機器の間に通信が行われる。周波数選択手段は、電源周波数を支障なく通過させ、通信帯域の信号、例えば他の電子機器からのノイズ（雑音）を十分に阻止するようになされる。
【００２１】
これにより、配線経路長による伝送損失をほぼゼロ近くになり、配線分岐などによる不整合反射やマルチパスなどの影響を排除することができ、また周波数選択手段により非通信機器からの雑音妨害やインピーダンス外乱を排除することができるため、信頼性の高い高スループット電力線通信を実現することが可能となる。
【発明の効果】
【００２２】
この発明によれば、電力線を利用して通信を行う際に、電力線に配置される電源コンセント装置に接続するための一つのプラグと、並列に接続された複数のコンセントからなるコンセント部と、プラグとコンセント部との間に配置された周波数選択手段とから構成される電力線通信用安定化装置を用い、プラグを電力線に接続し、周波数選択手段の後に並列に接続されているコンセントに通信機器を接続して通信を行うものであり、配線経路長による伝送損失や、配線分岐などによる不整合反射やマルチパスなどの影響を排除することができ、また非通信機器からの雑音妨害やインピーダンス外乱を排除することができるため、信頼性の高い高スループット電力線通信を実現できる。そのため、高品位なＡＶストリームのリアルタイム伝送などにも十分耐えうる高い実効速度を保証する環境を構築できる。
【００２３】
また、実装がたいへん容易で、かつ実装が安価に実現できる。また、ユーザーは装置の設置に際して専門的な知識や専門的な外部委託工事も不要である。
【発明を実施するための最良の形態】
【００２４】
以下、この発明の実施の形態の電力線通信用安定化装置、それを用いた電子機器および通信方法について説明する。
図１は、本発明の実施の形態の電力線通信用安定化装置１００の構成を示す図である。図１に示すように、電力線通信用安定化装置１００は、プラグ１１と、周波数選択手段としてのローパスフィルタ１２と、コンセント部１３とから構成されている。
【００２５】
プラグ１１は、電力線に配置される電源コンセント装置に接続するための電源プラグである。このプラグ１１は、電源コンセントに接続するプラグ栓刃と電力線通信用安定化装置１００に接続するためのリード線を有している。このリード線一端はローパスフィルタ１２に接続されている。プラグ１１は、例えば屋内に配置された壁面コンセントに接続することができる。
【００２６】
ローパスフィルタ１２は、コンデンサＣ１，Ｃ２およびコイルＬ１，Ｌ２から構成され、電源周波数（５０〜６０Ｈｚ近辺）を支障なく通過させ、通信帯域、例えば２〜３０ＭＨｚの信号を十分に阻止するものである。即ちローパスフィルタ１２を介して通信機器への電源供給を支障なく行える。ローパスフィルタ１２としては、通過域の損失はほぼゼロ、遮断域での挿入損失は概ね４０ｄＢ以上程度のものが好ましいである。
【００２７】
また、このローパスフィルタ１２の一端はプラグ１１に接続されており、他端はコンセント部１３に接続されている。
【００２８】
図２は、ローパスフィルタ１２の特性例を示す図である。図２に示すように、電源周波数（５０〜６０Ｈｚ）は通過域にあり、通過損失はほぼゼロである。一方、通信帯域（例えば２〜３０ＭｋＨｚ）は、遮断域にあり、通信信号の通信領域外への漏洩、外部電子機器からのノイズを十分に遮断することができる。即ち、このローパスフィルタ１２は、通信用周波数に対して高いインピーダンスを示すと共に、電源周波数に対しては低いインピーダンスを示す。
【００２９】
なお、周波数選択手段として、電源周波数をよく通し短波帯などの高周波信号を十分に遮断する構造を有するバンドパスフィルタなどを用いてもよい。
【００３０】
コンセント部１３は、並列に接続された複数のコンセント、例えば並列に接続されたコンセント１３ａ，１３ｂ，１３ｃから構成されるものである。これらのコンセント１３ａ，１３ｂ，１３ｃは、通信機器の電源プラグを差し込むことが可能とされる。また、コンセント部１３は、ローパスフィルタ１２に接続されており、ローパスフィルタ１２を介して電力線から電力を受け取る。
【００３１】
図３は、電力線通信用安定化装置１００を用いた電力線通信システム２００の構成を示す図である。この電力線通信システム２００は、屋内で電灯線を利用して通信を行う通信システムにおいて、電力線に配置された一つの電源コンセントを利用して、通信システムを構成するものである。
【００３２】
図３に示すように、電力線通信システム２００は、電力線通信用安定化装置１００と、通信路としての電力線２０と、壁面コンセント２１ｂと、通信機器Ａと、通信機器Ｂとから構成されている。この場合、電力線通信用安定化装置１００のプラグ１１を電力線２０に配置された壁面コンセント２１ｂに接続される。通信機器Ａ，Ｂは、それぞれコンセント部１３のコンセント１３ａと１３ｂに接続される。なお、電力線通信システム２００において、電子機器（非通信機器）が電力線２０に接続される場合が一般的である。例えば電子機器Ｃ，Ｄも他の壁面コンセント２１ｃ，２１ｄに接続されている。
【００３３】
ここで、通信機器Ａは、例えば電力線通信モデム内蔵のＳＴＢ（Set Top Box）機器であり、通信機器Ｂは、例えば電力線通信モデム内蔵のテレビ受信機である。また、電子機器Ｃは、例えば一般的なオーディオ機器であり、電子機器Ｄは、例えば一般的なコンピュータである。
【００３４】
このように構成された電力線通信システム２００は、通信用配線の総経路長は数メートル程度に収まれ、且つ通信しない他の電子機器Ｃ，Ｄからのインピーダンス外乱やノイズ（雑音）をシャットアウトすることが可能となる。
【００３５】
以下、電力線通信用安定化装置１００を用いた電力線通信を行う通信方法について説明する。
電力線を利用して通信を行う際に、電力線通信用安定化装置１００のプラグ１１を電力線２０に配置された壁面コンセント２１ｂに接続し、そして、ローパスフィルタ１２の後に配置されているコンセント部１３に通信機器Ａ，Ｂを接続することで、この通信機器Ａ，Ｂの間に通信を行う電力線通信システム２００を構成する。
【００３６】
この場合、通信機器Ａ，Ｂの電力は、壁面コンセント２１ｂから電力線通信用安定化装置１００を介して供給される。また通信機器Ａからの通信信号は、通信機器Ａの電源線を通して、電力線通信用安定化装置１００のコンセント１３ａと１３ｂを介して通信機器Ｂへ伝送される。また、通信機器Ｂからの通信信号は、通信機器Ｂの電源線を通して、電力線通信用安定化装置１００のコンセント１３ｂと１３ａを介して通信機器Ａへ伝送される。
【００３７】
また、壁面コンセント２１ｂを介して伝送されてきた非通信の電子機器Ｃ，Ｄからのノイズは、ローパスフィルタ１２により遮断され、通信側に侵入できないようになされる。また、通信側の通信信号の外部への漏洩もローパスフィルタ１２により阻止される。
【００３８】
図４は、電力線通信システムの伝送損失の実測例を示す図である。図４（ａ）は、電力線通信用安定化装置１００を用いて通信を行う場合の測定結果、図４（ｂ）は、電力線通信用安定化装置１００を用いない、同一部屋の異なる２つのコンセントの間で通信を行う場合の測定結果、図４（ｃ）は、電力線通信用安定化装置１００を用いない、同一コンセントを用いて通信を行う場合の測定結果である。
【００３９】
図４（ａ）に示すように、電力線通信用安定化装置１００を用いて通信を行う場合、通信機器Ａ，Ｂ間の伝送損失はほぼゼロである。なお、非通信の電子機器Ｃ，Ｄからのノイズ（雑音妨害）を阻止することができる。
【００４０】
また、図４（ｂ）に示すように、電力線通信用安定化装置１００を用いない、同一部屋の異なる２つのコンセント間で通信を行う場合、伝送損失が大きい。この場合、一般的なコンピュータでのベストエフォート通信では問題にはならないが、高速なＡＶストリームをリアルタイムに流そうとすると損失や帯域内での周波数特性のあばれが問題になりうる。
【００４１】
また、図４（ｃ）に示すように、電力線通信用安定化装置１００を用いない、同一コンセントを用いて通信を行う場合、ほとんど伝送損失は問題にならないケースが多い。しかし非通信の電子機器Ｃ，Ｄからのノイズ（雑音妨害）を阻止することができない。また、低インピーダンスの非通信の電子機器Ｃまたは電子機器Ｄが電力線２０に接続される場合、インピーダンス外乱を排除できない。
【００４２】
従って、電力線通信用安定化装置１００を用いて電力線通信を行う場合、伝送損失はほぼゼロである。なお、非通信の電子機器Ｃ，Ｄからのノイズ（雑音妨害）を阻止することができる。高品位なＡＶストリームのリアルタイム伝送などにも十分耐えうる高い実効速度を保証する環境を構築できる。
【００４３】
また、図１に示す電力線通信用安定化装置１００を通信機器に組み込んで、電力線通信用安定化装置１００付きの通信機器を構成することができる。この場合、例えば、通信機器Ａは電力線通信用安定化装置１００内蔵の通信機器とする。通信機器Ａの電源線が予め電力線通信用安定化装置１００のコンセント部１３に接続される。電力線通信を行う際に、プラグ１１を電力線２０に配置された壁面コンセント２１ｂに接続し、そして、通信機器Ｂの電源プラグを通信機器Ａに配置される電力線通信用安定化装置１００のコンセント部１３に差し込むと、上述したような通信システムを構成することができる。なお、通信機器Ｂは電力線通信用安定化装置１００内蔵の通信機器とする場合も同様である。
【００４４】
このように本実施の形態においては、電力線通信を行う際に、電力線２０に配置された電源コンセントに接続するためのプラグ１１と、並列に接続された複数のコンセント１３ａ，１３ｂ，１３ｃからなるコンセント部１３と、プラグ１１とコンセント部１３との間に配置されたローパスフィルタ１２とから構成される電力線通信用安定化装置１００を用い、プラグ１１を電力線２０に配置された壁面コンセント２１ｂに接続し、ローパスフィルタ１２の後に並列に接続されているコンセント１３ａ，１３ｂに通信機器Ａ，Ｂを接続して通信を行う。
【００４５】
これにより、配線経路長による伝送損失や、配線分岐などによる不整合反射やマルチパスなどの影響を排除することができ、また非通信機器からの雑音妨害やインピーダンス外乱を排除することができるため、信頼性の高い高スループット電力線通信を実現できる。そのため、高品位なＡＶストリームのリアルタイム伝送などにも十分耐えうる高い実効速度を保証する環境を構築できる。
【００４６】
また、実装がたいへん容易で、かつ実装が安価に実現できる。また、ユーザーは装置の設置に際して専門的な知識や専門的な外部委託工事も不要である。
【００４７】
なお、上述実施の形態においては、ローパスフィルタ１２はコンデンサＣ１，Ｃ２とコイルＬ１，Ｌ２から構成されたものを用いたが、これに限定されるものではない。コンデンサＣ１，Ｃ２とコイルＬ１，Ｌ２により構成されたフィルタ構成要素の段数を増やしてもよいし、またバンドパスフィルタのような構成を用いてもよい。
【００４８】
また、上述実施の形態においては、電力線通信用安定化装置１００のプラグ１１はリード線により本体１０に接続されたものであるが、これに限定されるものではない。例えばプラグ１１を本体１０に組み込むような構成にしてもよい。
【産業上の利用可能性】
【００４９】
以上のように、この発明に係る電力線通信用安定化装置、それを用いた電子機器および通信方法は、部屋の中だけで通信するような限定的な用途環境下において高品位ＡＶストリーム信号のリアルタイム伝送を行う高速な電力線通信に適用できる。
【図面の簡単な説明】
【００５０】
【図１】実施の形態の電力線通信用安定化装置の構成例を示す図である。
【図２】ローパスフィルタの特性例を示す図である。
【図３】電力線通信用安定化装置を用いた電力線通信システムの構成例を示す図である。
【図４】電力線通信の伝送損失の実測例を示す図である。
【図５】電力線通信の信号伝送状態を示す図である。
【図６】従来の電力線通信システムの構成例を示す図である。
【符号の説明】
【００５１】
１０・・・本体、１１・・・プラグ、１２・・・ローパスフィルタ、１３・・・コンセント部、１３ａ，１３ｂ，１３ｃ・・・コンセント、２０・・・電力線、２１ａ，２１ｂ，２１ｃ，２１ｄ・・・壁面コンセント、１００・・・電力線通信用安定化装置、２００，３００・・・電力線通信システム、Ｃ１，Ｃ２・・・コンデンサ、Ｌ１，Ｌ２・・・コイル
【図１】
2005065006.tif 000003
【図２】
2005065006.tif 000004
【図３】
2005065006.tif 000005
【図４】
2005065006.tif 000006
【図５】
2005065006.tif 000007
【図６】
2005065006.tif 000008